(57)【特許請求の範囲】
【請求項１】
人体の一部を検出することで吐水、止水を行なう自動水栓装置であって、
吐水口を有し洗面台に取り付けられる水栓と、
前記吐水口に連通する給水路に供給される水を加温して湯水として貯留する貯湯タンクと、
前記貯湯タンクに貯えられた湯水に紫外線を照射する第１紫外線照射部とを備え、
前記給水路は、前記水栓の外部に位置する第１給水路と、前記水栓の内部に設けられ前記第１給水路と前記吐水口とを接続する第２給水路とを含んで構成され、
前記貯湯タンクは、前記水栓の内部に設けられ前記第２給水路に供給される水を加温する、
ことを特徴とする自動水栓装置。
【請求項２】
人体の一部を検出する検出部と、
前記検出部から出力される検出信号に基づいて、前記吐水口からの吐水と止水を切り換えると共に前記第１紫外線照射部による紫外線の照射、照射の停止を制御する制御部とを備え、
前記制御部は前記吐水口を止水している状態で前記第１紫外線照射部による紫外線の照射を予め定められた時間行わせる、
ことを特徴とする請求項１記載の自動水栓装置。
【請求項３】
前記第１紫外線照射部による紫外線の照射がなされていることを表示する表示部が設けられている、
ことを特徴とする請求項１または２記載の自動水栓装置。
【請求項４】
前記洗面台は手洗い用ボウルを含んで構成され、
前記手洗い用ボウルに向けて紫外線を照射する第２紫外線照射部が設けられている、
ことを特徴とする請求項１から３の何れか１項記載の自動水栓装置。
【請求項５】
前記水栓は、前記洗面台の上方に離れた箇所で前記手洗い用ボウルに対向する前記吐水口が設けられた吐水部を有し、
前記第２紫外線照射部は、前記手洗い用ボウルに向けられた前記吐水部の下面に設けられている、
ことを特徴とする請求項４記載の自動水栓装置。
【請求項６】
前記吐水口に紫外線を照射する第３紫外線照射部が設けられている、
ことを特徴とする請求項１から５の何れか１項記載の自動水栓装置。
【発明の詳細な説明】
【技術分野】
【０００１】
本発明は、航空機用化粧室ユニットなどに好適な自動水栓装置に関する。
【背景技術】
【０００２】
人体の一部（手指）を検出して水栓の吐水口から吐水、止水を行なう自動水栓装置が提供されている。
このような自動水栓装置として、吐水口に連通する給水路に供給される水を加温して湯水として貯留する貯湯タンクを設け、湯水を使用することができるようにしたものが提供されている。
【先行技術文献】
【特許文献】
【０００３】
【特許文献１】特開２００３−１０６６６２
【発明の概要】
【発明が解決しようとする課題】
【０００４】
しかしながら、このような自動水栓装置を例えば航空機用化粧室ユニットに適用した場合、長時間、自動水栓装置が使用されないと、貯湯タンクに湯水が長時間にわたって貯留されることになることから、何らかの原因で湯水に雑菌が繁殖するおそれが懸念される。
本発明は前記事情に鑑み案出されたものであって、本発明の目的は、貯湯タンクに貯留される湯水の衛生を保持する上で有利な自動水栓装置を提供することにある。
【課題を解決するための手段】
【０００５】
上記目的を達成するために本発明の一実施の形態は、人体の一部を検出することで吐水、止水を行なう自動水栓装置であって、吐水口を有し洗面台に取り付けられる水栓と、前記吐水口に連通する給水路に供給される水を加温して湯水として貯留する貯湯タンクと、前記貯湯タンクに貯えられた湯水に紫外線を照射する第１紫外線照射部とを備え、前記給水路は、前記水栓の外部に位置する第１給水路と、前記水栓の内部に設けられ前記第１給水路と前記吐水口とを接続する第２給水路とを含んで構成され、前記貯湯タンクは、前記水栓の内部に設けられ前記第２給水路に供給される水を加温することを特徴とする。
また、本発明の一実施の形態は、人体の一部を検出する検出部と、前記検出部から出力される検出信号に基づいて、前記吐水口からの吐水と止水を切り換えると共に前記第１紫外線照射部による紫外線の照射、照射の停止を制御する制御部とを備え、前記制御部は前記吐水口を止水している状態で前記第１紫外線照射部による紫外線の照射を予め定められた時間行わせることを特徴とする。
また、本発明の一実施の形態は、前記第１紫外線照射部による紫外線の照射がなされていることを表示する表示部が設けられていることを特徴とする。
また、本発明の一実施の形態は、前記洗面台は手洗い用ボウルを含んで構成され、前記手洗い用ボウルに向けて紫外線を照射する第２紫外線照射部が設けられていることを特徴とする。
また、本発明の一実施の形態は、前記水栓は、前記洗面台の上方に離れた箇所で前記手洗い用ボウルに対向する前記吐水口が設けられた吐水部を有し、前記第２紫外線照射部は、前記手洗い用ボウルに向けられた前記吐水部の下面に設けられていることを特徴とする。
また、本発明の一実施の形態は、前記吐水口に紫外線を照射する第３紫外線照射部が設けられていることを特徴とする。
【発明の効果】
【０００６】
本発明の一実施の形態によれば、貯湯タンクに貯えられた湯水に紫外線を照射する第１紫外線照射部を設けたので、貯湯タンクに貯留される湯水に雑菌が繁殖することを抑制でき、湯水の衛生を保持する上で有利となる。
また、本発明の一実施の形態によれば、貯湯タンクを水栓の内部に設けたので、貯湯タンクと水栓とを別々に取り扱う必要がないため、自動水栓装置の取り付け作業や取り外し作業の簡素化を図る上で有利となる。
また、本発明の一実施の形態によれば、吐水口が止水している状態で第１紫外線照射部による紫外線の照射を予め定められた時間行わせるようにしたので、貯湯タンクに滞留した湯水に対して第１紫外線照射部による紫外線の照射を実行できることから、紫外線による湯水の殺菌を効率的に行なう上で有利となる。
また、本発明の一実施の形態によれば、第１紫外線照射部による紫外線の照射がなされていることを表示する表示部を設けたので、利用者は、表示部を視認して湯水が殺菌されていることを把握できることから、衛生が保持された湯水を確認した上で利用することができ、利便性の向上を図る上で有利となる。
また、本発明の一実施の形態によれば、手洗い用ボウルに向けて紫外線を照射する第２紫外線照射部が設けられているので、汚れが付着しやすい手洗い用ボウルに雑菌が繁殖することを抑制でき、手洗い用ボウルの衛生を保持する上で有利となる。
また、本発明の一実施の形態によれば、第２紫外線照射部は、手洗い用ボウルに向けられた吐水部の下面に設けられているので、手洗い用ボウルの広い範囲にわたって紫外線を照射することができ、手洗い用ボウルの衛生を保持する上でより有利となる。
また、本発明の一実施の形態によれば、吐水口に紫外線を照射する第３紫外線照射部が設けられているので、吐水口に雑菌が繁殖することを抑制でき、吐水される湯水の衛生を保持する上で有利となる。
【図面の簡単な説明】
【０００７】
【図１】第1の実施の形態に係る自動水栓装置が適用される航空機用化粧室ユニットの斜視図である。
【図２】（Ａ）は第1の実施の形態に係る自動水栓装置の側面図、（Ｂ）は（Ａ）のＢ矢視図、（Ｃ）は（Ｂ）のＣ矢視図である。
【図３】第１の実施の形態に係る自動水栓装置の制御系の構成を示すブロック図である。
【図４】第１の実施の形態に係る自動水栓装置の動作を示すフローチャートである。
【図５】第２の実施の形態に係る自動水栓装置の側面図である。
【図６】図５のＡ矢視図である。
【図７】図６のＢ矢視図である。
【図８】第２の実施の形態に係る自動水栓装置の制御系の構成を示すブロック図である。
【図９】第２の実施の形態に係る自動水栓装置の動作を示すフローチャートである。
【発明を実施するための形態】
【０００８】
（第１の実施の形態）
次に図面を参照して本実施の形態について説明する。
まず、本実施の形態に係る自動水栓装置が適用される航空機用化粧室ユニットについて説明する。
図１に示すように、航空機用化粧室ユニット１０は、底壁１２０２と、底壁１２０２から起立する複数の壁板と、天井１２１０とを有しその内部が化粧室１４とされる躯体フレーム１２を備えている。
本実施の形態では、複数の壁板のうちの１つは正面壁１２０４であり、１つは正面壁１２０４に対向する背面壁１２０６であり、残りの二つは、背面壁１２０６の両側と正面壁１２０４の両側を接続する一対の側面壁１２０８であり、正面壁１２０４に扉により開閉される出入口１２１２が設けられ、背面壁１２０６の前方に内壁１２１４が設けられ、便器１６は内壁１２１４を介して底壁１２０２上に設けられている。
なお、図１では一対の側面壁１２０８のうちの一方の側面壁１２０８と、出入口を開閉する扉が省略されている。
一対の側面壁１２０８のうちの他方の側面壁１２０８の高さ方向の中間にカウンターテーブル１８が設けられ、カウンターテーブル１８の下方は、消火機能付きのごみ箱装置２０や化粧室１４の備品などが収納される下部収納部２２となっており、下部収納部２２は複数の扉２２０２、２２０４により開閉可能であり、図１において、符号２２０６はごみ投入口を示している。
カウンターテーブル１８の上方は、ティッシュペーパーなどの化粧室１４の備品が収納される上部収納部２４となっており、上部収納部２４は鏡付きの複数の扉２４０２、２４０４により開閉される。
【０００９】
カウンターテーブル１８の正面壁１２０４寄りの箇所に手洗い器２６が設けられている。
手洗い器２６は、手洗い用ボウル２８と、手洗い用ボウル２８の周囲のカウンターテーブル１８の箇所で構成された洗面台３０と、洗面台３０に設けられ手洗い用ボウル２８への水の吐出を可能とする自動水栓装置３２Ａとを含んで構成されている。
【００１０】
自動水栓装置３２Ａは人体の一部（手指）を検出して吐水、止水を行なうものである。
図２（Ａ）、（Ｂ）、（Ｃ）、図３に示すように、自動水栓装置３２Ａは、水栓３４と、検出部３６と、貯湯タンク３８と、第１紫外線照射部４０と、表示部４２と、制御部４４とを含んで構成されている。
水栓３４は、給水源４６から給水路４８を介して供給される水を吐水するものである。
図２（Ａ）に示すように、給水路４８は、給水源４６に接続され水栓３４の外部に位置する第１給水路４８Ａと、水栓３４の内部に設けられ第１給水路４８と後述する吐水口５３とを接続する第２給水路４８Ｂとを含んで構成されている。
水栓３４は、金属や合成樹脂など従来公知の様々な材料で構成されている。
図２（Ａ）、（Ｂ）、（Ｃ）に示すように、水栓３４は、洗面台３０の上面または洗面台３０の近傍の壁部（本実施の形態では例えばカウンターテーブル１８と上部収納部２４との間を接続する壁部２４２０）に取り付けられる基部５０と、基部５０から手洗い用ボウル２８の上方に延在する延在部５２と、延在部５２のほぼ水平方向に延在する先部に設けられた手洗い用ボウル２８内に向けられた吐水口５３を有する吐水部５４とを備えている。
吐水部５４は、上方を向いた上面５４０２と、下方を向いたすなわち手洗い用ボウル２８内に向いた下面５４０４と、前方を向いた前面５４０６と、上面５４０２、下面５４０４、前面５４０６を接続する左右一対の側面５４０８とを備え、下面５４０４に吐水口５３が設けられている。
したがって、吐水口５３は手洗い用ボウル２８の上方に離れた箇所に設けられている。
【００１１】
検出部３６は、人体の一部を検出するものである。
本実施の形態では、検出部３６は、非接触センサ５６と接触センサ５８の２つのセンサを備えている。
非接触センサ５６は、非接触で人体の一部を検出するものであり、非接触センサ５６として、赤外線からなる検出光を照射しその反射光に基づいて人体の一部を検出する赤外線センサ、人体の一部の接近による静電容量の変化により人体の一部を非接触で検出する静電容量式非接触センサなど従来公知のセンサが使用可能である。
本実施の形態では、非接触センサ５６は赤外線センサであり、非接触センサ５６は吐水部５４の前面５４０６に設けられている。
非接触センサ５６は、検出光が吐水部５４の前方に照射され、手洗い用ボウル２８に挿入された利用者の手指を確実に照射されるように図られている。
【００１２】
接触センサ５８は、人体の一部が接触されることで人体の一部を検出するものであり、接触センサ５８として、手指の接触を検出するタッチスイッチ、手指の接触による静電容量の変化により人体の一部を検出する静電容量式タッチセンサなど従来公知のセンサが使用可能である。
本実施の形態では、接触センサ５８はタッチスイッチであり、接触センサ５８は吐水部５４の上面５４０２に設けられている。
接触センサ５８は吐水部５４の上面５４０２から上方に突出しており、利用者の手指による接触センサ５８への接触が容易になされるように図られている。
このように検出部３６は非接触センサ５６と接触センサ５８とを備えているので、利用者は、非接触センサ５６と接触センサ５８の何れか一方を選択的に使用することができ、使い勝手の向上が図られている。
なお、検出部３６は非接触センサ５６と接触センサ５８との何れか一方で構成されていてもよいことは無論である。
【００１３】
貯湯タンク３８は、給水路４８に供給される水を不図示の加温ヒータより加温して湯水として貯留するものであり、本実施の形態では、貯湯タンク３８は、水栓３４の基部５２の内部に設けられ第２給水路４８Ｂに供給される水を加温する。
貯湯タンク３８に貯留される湯水の容量は、例えば、利用者が手を洗うために足る最小限の容量となっており、湯水の消費量の抑制が図られている。
【００１４】
第１紫外線照射部４０は、貯湯タンク３８に貯えられた湯水に紫外線を照射することで湯水の殺菌（滅菌）を行なうものである。
本実施の形態では、第１紫外線照射部４０は、貯湯タンク３８の内部に配置された紫外線ランプで構成され、貯湯タンク３８に貯えられた湯水に対する紫外線の照射、照射の停止は後述する制御部４４によって制御される。
【００１５】
表示部４２は、第１紫外線照射部４０による紫外線の貯湯タンク３８に貯えられた湯水への照射がなされていることを表示するものであり、本実施の形態では、吐水部５４の上面５４０２で接触センサ５８の後方の箇所に接触センサ５８と並べて設けられている。
表示部４２は、例えば、ＬＥＤランプで構成され、ＬＥＤランプの点灯は、紫外線を湯水に照射していることを表示し、ＬＥＤランプの消灯は、紫外線の湯水への照射を停止していることを表示する。
【００１６】
制御部４４は、水栓３４に設けてもよいが、本実施の形態では、水栓３４近傍のカウンターテーブル１８の下方の箇所に設けられている。
制御部４４は、不図示のケーブルを介して検出部３６に接続され、ケーブルを介して供給される検出信号に基づいて、吐水口５３からの吐水と止水を切り換えるものである。
図２に示すように、本実施の形態では、給水源４６と貯湯タンク３８との間の第１給水路４８Ａの箇所に電磁弁６０が設けられており、制御部４４は検出部３６により人体の一部が検出されたことを示す検出信号を受け付けると、電磁弁６０を予め定められた第１所定時間、開弁することで吐水口５３から水を吐水させ、第１所定時間が経過したならば電磁弁６０を閉弁する。
このように第１所定時間だけ開弁することで予め定められた量の水、本実施の形態では、貯湯タンク３８の容量に対応する水が貯湯タンク３８に供給され、これにより貯湯タンク３８内の湯水が水栓３４から吐水されるように図られている。
【００１７】
また、制御部４４は、検出部３６から出力される検出信号に基づいて、第１紫外線照射部４０による貯湯タンク３８内の湯水への紫外線の照射、照射の停止を制御するものである。
本実施の形態では、制御部４４は吐水口５３を止水している状態で第１紫外線照射部４０による紫外線の照射を第２所定時間行わせるように構成されている。この第２所定時間は、貯湯タンク３８内の湯水の殺菌が十分に行われるに足る時間として設定されている。
また、制御部４４は、第１紫外線照射部４０による貯湯タンク３８内の湯水への紫外線の照射がなされている第２所定時間の間、表示部４２を点灯させて第１紫外線照射部４０による貯湯タンク３８内の湯水への紫外線の照射がなされていることを表示し、第２所定時間が経過したならば表示部４２を消灯させて第１紫外線照射部４０による貯湯タンク３８内の湯水への紫外線の照射が停止していることを表示する。
【００１８】
次に、図４のフローチャートを参照して制御部４４による第１紫外線照射部４０の制御について説明する。
まず、制御部４４は、検出部３６による検出信号の有無に基づいて止水状態か否かを判定する（ステップＳ１０）。すなわち、検出部３６から人体の一部が検出されたことを示す検出信号を受け付けていれば電磁弁６０を開弁しているので吐水状態であり、上記検出信号を受け付けていなければ電磁弁６０を閉弁しているので止水状態である。
ステップＳ１０が肯定ならば、止水状態であり、貯湯タンク３８に貯留された湯水が滞留していることから、第１紫外線照射部４０による貯湯タンク３８内の湯水への紫外線の照射を実行する（ステップＳ１２）。
ステップＳ１０が否定ならば、吐水状態であり、貯湯タンク３８から吐水口５３に向かって流れている状態の湯水へ紫外線を照射しても殺菌の効果が少ないため、紫外線照射を行なうことなく、ステップＳ１０に戻る。
【００１９】
また、制御部４４は、第１紫外線照射部４０による貯湯タンク３８内の湯水への紫外線の照射の実行と同時に表示部４２を点灯させ、紫外線が湯水に照射されている状態であることを表示させる（ステップＳ１４）。
次いで制御部４４は、第１紫外線照射部４０による紫外線の照射が第２所定時間経過したか否かを判定する（ステップＳ１６）。
ステップＳ１６が否定ならば、制御部４４は、ステップＳ１６に戻り紫外線の照射を継続する。
ステップＳ１６が肯定ならば、制御部４４は、第１紫外線照射部４０による紫外線の照射を停止させ（ステップＳ１８）、同時に表示部４２の表示を停止させ（ステップＳ２０）、一連の動作を終了する。
【００２０】
なお、本実施の形態では、止水状態となる毎に第１紫外線照射部４０による貯湯タンク３８内の湯水への紫外線の照射を行なって貯湯タンク３８内の湯水を殺菌する。
しかしながら、この殺菌終了後、長時間、吐水がなされず止水状態が長時間続くことが想定される場合は、強制的に貯湯タンク３８内の殺菌を行なうことが好ましいと考えられる。
その場合は、制御部４４は、止水状態の継続時間が予め定められた第３所定時間を経過したか否かを判定し、第３所定時間を経過したと判定されたならば、ステップＳ１２〜Ｓ２０の処理を実行すればよく、このような処理を行えば、長期間にわたって湯水が貯湯タンク３８内に貯留される場合に湯水の殺菌を確実に行なう上で有利となる。
【００２１】
本実施の形態によれば、人体の一部を検出することで吐水、止水を行なう自動水栓装置３２Ａにおいて、貯湯タンク３８に貯えられた湯水に紫外線を照射する第１紫外線照射部４０を設けたので、貯湯タンク３８に貯留される湯水に雑菌が繁殖することを抑制でき、湯水の衛生を保持する上で有利となる。
また、この自動水栓装置３２Ａを航空機用化粧室ユニット１０に適用すると、航空機用化粧室ユニット１０の衛生環境を維持管理する上で有利となり、航空機用化粧室ユニット１０の商品価値を高める上で有利となる。
【００２２】
また、本実施の形態によれば、第２給水路４８Ｂに供給される水を加温する貯湯タンク３８を水栓３４の内部に設けたので、貯湯タンク３８と水栓３４とを別々に取り扱う必要がないため、自動水栓装置３２Ａの取り付け作業や取り外し作業の簡素化を図る上で有利となる。
【００２３】
また、本実施の形態では、吐水口５３が止水している状態で第１紫外線照射部４０による紫外線の照射を予め定められた時間行わせるようにしたので、紫外線による湯水の殺菌を効率的に行なう上で有利となる。
【００２４】
また、本実施の形態では、第１紫外線照射部４０による貯湯タンク３８内の湯水への紫外線の照射がなされていることを表示する表示部４２を設けたので、利用者は、表示部４２を視認して湯水が殺菌されていることを把握できることから、表示部４２による表示が停止した後、自動水栓装置３２Ａを使用することを利用者に促すことができる。そのため、衛生が保持された湯水を確認した上で自動水栓装置３２Ａを使用することができ、利便性の向上を図る上で有利となる。
【００２５】
（第２の実施の形態）
次に第２の実施の形態について図５から図８を参照して説明する。
なお、以下の実施の形態では、第１の実施の形態と同様の部分、部材については第１の実施の形態と同一の符号を付してその説明を省略する。
第２の実施の形態は、水栓６２の形状が第１の実施の形態と異なっており、また、貯湯タンク３８を水栓３４の外部に設けた点、貯湯タンク３８に加えて手洗い用ボウル２８および吐水口５３に対して紫外線を照射する点が第１の実施の形態と異なっている。
【００２６】
図５から図８に示すように、自動水栓装置３２Ｂは、水栓６２と、検出部３６と、貯湯タンク３８と、第１紫外線照射部４０と、第２紫外線照射部６４と、第３紫外線照射部６６と、表示部６８と、制御部７０とを含んで構成されている。
図５に示すように、水栓６２は、給水源４６から給水路４８を介して供給される水を吐水するものであり、第１の実施の形態と同様に、給水路４８は、給水源４６に接続され水栓６２の外部に位置する第１給水路４８Ａと、水栓６２の内部に設けられ第１給水路４８と後述する吐水口７７とを接続する第２給水路４８Ｂとを含んで構成されている。
図５、図６、図７に示すように、水栓６２は、洗面台３０の上面または洗面台３０の近傍の壁部に取り付けられる基板部７２と、基板部７２から手洗い用ボウル２８の上方に延在する延在部７４と、延在部７４のほぼ水平方向に延在する先部に設けられ手洗い用ボウル２８内に向けられた吐水口７７を有する吐水部７６とを備えている。
したがって、吐水口７７は、手洗い用ボウル２８の上方に離れた箇所に設けられている。
なお、基板部７２を含む水栓６２は、第１の実施の形態と同様に、金属や合成樹脂など従来公知の様々な材料で構成されている。
【００２７】
第２の実施の形態では、基板部７２は、延在部７４の断面形状よりも大きな輪郭の扁平な長円の板状を呈している。
基板部７２は、上方を向いた上面７２０２と、下方を向いた下面７２０４と、手洗い用ボウル２８側に向いた前面７２０６と、前面７２０６と反対の方向を向いた後面７２０８と、上面７２０２、下面７２０４、前面７２０６、下面７２０４を接続する一対の湾曲した側面７２１０とを備えている。
延在部７４は、基板部７２の長手方向の一方寄りの上面７２０２から起立している。
なお、基板部７２と延在部７４とは一体に設けてもよく、あるいは、基板部７２と延在部７４とを別体として設け、例えば基板部７２に設けた孔に延在部７４を挿入するようにしてもよい。
【００２８】
第１の実施の形態と同様に、検出部３６は、非接触センサ５６と接触センサ５８の２つのセンサを備えている。
第２の実施の形態では、非接触センサ５６は赤外線センサであり、非接触センサ５６は基板部７２の長手方向の他方寄りの前面７２０６に設けられている。
非接触センサ５６は、検出光が基板部７２の前方に照射され、手洗い用ボウル２８に挿入された利用者の手指を確実に照射されるように図られている。
【００２９】
接触センサ５８は、人体の一部が接触されることで人体の一部を検出するものであり、第２の実施の形態では、接触センサ５８はタッチスイッチであり、基板部７２の上面に延在部７４と並べられて設けられている。
接触センサ５８は基板部７２の上面７２０２から上方に突出しており、利用者の手指による接触センサ５８への接触が容易になされるように図られている。
【００３０】
図５に示すように、貯湯タンク３８は、給水路４８に供給される水を不図示の加温ヒータより加温して湯水として貯留するものであり、第２の実施の形態では、貯湯タンク３８は、水栓６２と離れた箇所に設けられ第１給水路４８Ａに供給される水を加温し、すなわち、貯湯タンク３８は洗面台３０の下方の箇所に設けられている。
【００３１】
第１紫外線照射部４０は、第１の実施の形態と同様に、貯湯タンク３８の内部に配置された紫外線ランプで構成され、紫外線の貯湯タンク３８内の湯水への照射、照射の停止は後述する制御部７０によって制御される。
【００３２】
図５、図７に示すように、第２紫外線照射部６４は、手洗い用ボウル２８に向けて紫外線Ｌｕｖを照射するものである。
第２の実施の形態では、第２紫外線照射部６４は、手洗い用ボウル２８に向けられた吐水部７６の下面７６０２に設けられた紫外線ランプで構成され、紫外線Ｌｕｖの手洗い用ボウル２８への照射、照射の停止は後述する制御部７０によって制御される。
【００３３】
図５に示すように、第３紫外線照射部６６は、吐水口７７に紫外線を照射するものである。
第２の実施の形態では、第３紫外線照射部６６は、円柱形を呈して吐水口７７の中央に配置され、第３紫外線照射部６６の外周面と吐水口７７の内周面との間に湯水の流通を可能とした環状空間を確保した状態で吐水口７７の内部に設けられている。
第３紫外線照射部６６は、紫外線ランプで構成され、第３紫外線照射部６６の外周面から吐水口７７の内周面への紫外線の照射、照射の停止は後述する制御部７０によって制御される。
【００３４】
表示部６８は、第１、第２、第３紫外線照射部４０、６４、６６による紫外線の照射がなされていることを表示するものであり、第２の実施の形態では、表示部６８は基板部７２の上面７２０２で接触センサ５８の側方の箇所に接触センサ５８と並べて設けられている。
表示部６８は、例えば、ＬＥＤランプで構成され、ＬＥＤランプの点灯は、紫外線を照射していることを表示し、ＬＥＤランプの消灯は、紫外線の照射を停止していることを表示する。
【００３５】
制御部７０は、水栓６２に設けてもよいが、第２の実施の形態では、水栓６２近傍のカウンターテーブル１８の下方の箇所に設けられている。
制御部７０は、不図示のケーブルを介して検出部３６に接続され、ケーブルを介して供給される検出信号に基づいて、吐水口７７からの吐水と止水を切り換えるものである。
図５に示すように、第２の実施の形態では、貯湯タンク３８と水栓６２との間の第１給水路４８Ａの箇所に電磁弁６０が設けられており、制御部７０は検出部３６により人体の一部が検出されたことを示す検出信号を受け付けると、電磁弁６０を予め定められた第１所定時間、開弁することで吐水口７７から水を吐水させ、第１所定時間が経過したならば電磁弁６０を閉弁する。
【００３６】
また、制御部７０は、検出部３６から出力される検出信号に基づいて、第１、第２、第３紫外線照射部４０、６４、６６による紫外線の照射、照射の停止を制御するものである。
第２の実施の形態では、制御部７０は吐水口７７を止水している状態で第１、第２、第３紫外線照射部４０、６４、６６による紫外線の照射を予め定められた第２所定時間行わせるように構成されている。
この第２所定時間は、貯湯タンク３８内の湯水の殺菌、手洗い用ボウル２８の殺菌、吐水口７７の内周面の殺菌が十分に行われるに足る時間として設定されている。
第２の実施の形態では、紫外線を照射する所定時間を、第１、第２、第３紫外線照射部４０、６４、６６の全てについて同一の第２所定時間とした場合について説明するが、第１、第２、第３紫外線照射部４０、６４、６６毎に、紫外線を照射する所定時間をそれぞれ異ならせても良い。
また、制御部７０は、第１、第２、第３紫外線照射部４０、６４、６６による紫外線の照射がなされている第２所定時間の間、表示部６８を点灯させて紫外線が照射していることを表示し、第２所定時間が経過したならば表示部６８を消灯させて紫外線の照射が停止していることを表示する。
【００３７】
次に図９のフローチャートを流用して制御部７０による第１、第２、第３紫外線照射部４０、６４、６６の制御について説明する。
まず、制御部７０は、検出部３６による検出信号の有無に基づいて止水状態か否かを判定する（ステップＳ４０）。
ステップＳ４０が肯定ならば、止水状態であることから、第１、第２、第３紫外線照射部４０、６４、６６による紫外線の照射を実行する（ステップＳ４２）。
【００３８】
ステップＳ４０が否定ならば、吐水状態であるため、第１、第２、第３紫外線照射部４０、６４、６６による紫外線照射を行なうことなく、ステップＳ４０に戻る。
これは、吐水状態においては、貯湯タンク３８から吐水口７７に向かって流れている状態の湯水へ第１紫外線照射部４０により紫外線を照射しても湯水の殺菌の効果が少ないためである。
また、吐水状態においては、手洗い用ボウル２８上に湯水が流れている状態で第２紫外線照射部６４により手洗い用ボウル２８に紫外線を照射しても手洗い用ボウル２８の殺菌の効果が少ないためである。
また、吐水状態においては、吐水口７７から湯水が吐水されている状態で第３紫外線照射部６６の外周面から吐水口７７の内周面に紫外線を照射しても吐水口７７の内周面の殺菌の効果が少ないためである。
【００３９】
また、制御部７０は、第１、第２、第３紫外線照射部４０、６４、６６による紫外線の照射の実行と同時に表示部６８を点灯させ紫外線が照射されている状態であることを表示させる（ステップＳ４４）。
次いで制御部７０は、第１、第２、第３紫外線照射部４０、６４、６６による紫外線の照射が第２所定時間経過したか否かを判定する（ステップＳ４６）。
ステップＳ１６が否定ならば、制御部７０は、ステップＳ１６に戻り紫外線の照射を継続する。
ステップＳ１６が肯定ならば、制御部７０は、第１、第２、第３紫外線照射部４０、６４、６６による紫外線の照射を停止させ（ステップＳ４８）、同時に表示部６８の表示を停止させ（ステップＳ５０）、一連の動作を終了する。
【００４０】
なお、第２の実施の形態では、止水状態となる毎に第１、第２、第３紫外線照射部４０、６４、６６により紫外線の照射を行なって貯湯タンク３８内の湯水、手洗い用ボウル２８、吐水口７７の内周面のそれぞれを殺菌する。
しかしながら、この殺菌終了後、長時間、吐水がなされず止水状態が長時間続くことが想定される場合は、強制的に貯湯タンク３８内、手洗い用ボウル２８、吐水口７７の殺菌を行なうことが好ましいと考えられる。
その場合、制御部７０は、止水状態の継続時間が予め定められた第３所定時間を経過したか否かを判定し、第３所定時間を経過したと判定されたならば、ステップＳ４２〜Ｓ５０の処理を実行すればよく、このような処理を行えば、長期間にわたって湯水が吐水されない場合に、貯湯タンク３８内の湯水、手洗い用ボウル２８、吐水口７７の内周面の殺菌を確実に行なう上で有利となる。
【００４１】
第２の実施の形態によれば、第１の実施の形態と同様の効果が奏されることは無論のこと、貯湯タンク３８を水栓６２と離れた箇所に設けたので、水栓６２のコンパクト化を図る上で有利となり、自動水栓装置３２Ｂのレイアウトの自由度や美観の向上を図る上で有利となる。
【００４２】
また、第２の実施の形態によれば、手洗い用ボウル２８に向けて紫外線Ｌｕｖを照射する第２紫外線照射部６４を設けたので、汚れや水分が付着しやすい手洗い用ボウル２８に雑菌が繁殖することを抑制でき、手洗い用ボウル２８の衛生を保持する上で有利となる。
また、この自動水栓装置３２Ｂを航空機用化粧室ユニット１０に適用すると、航空機用化粧室ユニット１０の衛生環境を維持管理する上で有利となり、航空機用化粧室ユニット１０の商品価値を高める上で有利となる。
【００４３】
また、第２の実施の形態によれば、第２紫外線照射部６４は、手洗い用ボウル２８に向けられた吐水部５４の下面に設けられているので、手洗い用ボウル２８の広い範囲にわたって紫外線Ｌｕｖを照射することができ、手洗い用ボウル２８の衛生を保持する上でより有利となる。
【００４４】
また、第２の実施の形態によれば、吐水口７７に紫外線を照射する第３紫外線照射部６６が設けられているので、吐水口７７に雑菌が繁殖することを抑制でき、吐水される湯水の衛生を保持する上で有利となる。
【００４５】
また、第２の実施の形態では、第１、第２、第３紫外線照射部４０、６４、６６による紫外線の照射がなされていることを表示する表示部６８を設けたので、利用者は、表示部６８を視認して貯湯タンク３８内の湯水、手洗い用ボウル２８、吐水口７７の内周面がそれぞれ殺菌されていることを把握できることから、表示部６８による表示が停止した後、自動水栓装置３２Ｂを使用することを利用者に促すことができる。そのため、貯湯タンク３８内の湯水、手洗い用ボウル２８、吐水口７７の内周面の衛生が保持されたことを確認した上で自動水栓装置３２Ｂを使用することができ、利便性の向上を図る上で有利となる。
【００４６】
なお、第２の実施の形態では、第１紫外線照射部４０に加えて、第２紫外線照射部６４および第３紫外線照射部６６の双方を設けた場合について説明したが、第１紫外線照射部４０に加えて、第２紫外線照射部６４および第３紫外線照射部６６の何れか一方を設けても良いことは無論である。
しかしながら、第２の実施の形態のようにすると、貯湯タンク３８、手洗い用ボウル２８、吐水口７７の全てに対して雑菌の殺菌を行なうことができるため、自動水栓装置３２Ｂおよび手洗い用ボウル２８の衛生を保持する上で有利となる。
【符号の説明】
【００４７】
１８  カウンターテーブル
２６  手洗い器
２４２０  壁部
２８  手洗い用ボウル
３０  洗面台
３２Ａ、３２Ｂ  自動水栓装置
３４  水栓
３６  検出部
３８  貯湯タンク
４０  第１紫外線照射部
４２  表示部
４４  制御部
４６  給水源
４８  給水路
４８Ａ  第１給水路
４８Ｂ  第２給水路
５０  基部
５２  延在部
５３  吐水口
５４  吐水部
５６  非接触センサ
５８  接触センサ
６０  電磁弁
６２  水栓
６４  第２紫外線照射部
６６  第３紫外線照射部
６８  表示部
７０  制御部
７２  基板部
７４  延在部
７６  吐水部
７６０２  下面
７７  吐水口
【図１】
0006965960.tif 000002
【図２】
0006965960.tif 000003
【図３】
0006965960.tif 000004
【図４】
0006965960.tif 000005
【図５】
0006965960.tif 000006
【図６】
0006965960.tif 000007
【図７】
0006965960.tif 000008
【図８】
0006965960.tif 000009
【図９】
0006965960.tif 000010